(57)【要約】【課題】クレードルへの装着や本体内充電開始等の状態変化を契機に、クレードル機能や充電動作等の本来の動作に先立って、記録媒体のデフラグを強制的に実行可能な携帯用の情報記録再生装置を提供する。【解決手段】挿着したＨＤＤ４ｅ等の記録媒体から情報の記録や再生を行なう携帯用の情報記録再生装置１をクレードル１０へ装着したこと又は情報記録再生装置１の充電を開始せんとすることを示す状態変化を検出部２にて検出し、制御ユニット４では、該状態変化に基づく本来の動作に先立って、表示部５にてＨＤＤ４ｅのデフラグの実行の可否をユーザに問い合わせ、デフラグの実行をユーザが指示した場合は、前記本来の動作の実行に先立って、ＨＤＤ４ｅのデフラグを実行し、しかる後に、前記本来の動作を実行する。また、検出部２の代わりに、クレードル１０側で情報記録再生装置１が装着されたことを検出して、制御ユニット４に通知する検出部を備えても良い。【選択図】        図１
2004295755.tif 000002
【特許請求の範囲】
【請求項１】
情報の記録再生が可能な情報記録媒体を挿着して、携帯しながら情報の記録や再生を行なうことができる携帯用の情報記録再生装置において、当該情報記録再生装置をクレードルへ装着したことを装着スイッチにより検出する、及び／又は、当該情報記録再生装置本体内の充電を開始せんとすることを検出する検出手段と、該検出手段の検出結果に基づいて、前記情報記録媒体のデフラグメンテーションを実行するか否かをユーザに対して警告表示する表示手段とを備え、該警告表示に対して、ユーザがデフラグメンテーションを実行しない旨を指示した場合は、当該情報記録再生装置がクレードルへ装着された場合には、該クレードルによるクレードル動作を、また、当該情報記録再生装置本体内の充電を開始せんとしていた場合には、当該情報記録再生装置本体内の充電動作を、前記検出手段の前記検出結果により指定されている本来の動作として実行し、一方、ユーザがデフラグメンテーションの実行を指示した場合は、前記本来の動作の実行を行なうに先立って、前記情報記録媒体のデフラグメンテーションを実行し、しかる後に、前記本来の動作を実行することを特徴とする情報記録再生装置。
【請求項２】
当該情報記録再生装置に備えられた前記検出部の代わりに、前記クレードルに、当該情報記録再生装置が当該クレードルに装着されたことを被装着スイッチにより検出する、及び／又は、当該情報記録再生装置本体内の充電を開始せんとすることを検出するクレードル側検出手段を備え、該クレードル側検出手段の検出結果を当該情報記録再生装置に通知することを特徴とする請求項１に記載の情報記録再生装置。
【請求項３】
当該情報記録再生装置が前記クレードルに装着された状態にあることを検出する前記検出手段の前記装着スイッチ又は前記クレードル側検出手段の前記被装着スイッチが、当該情報記録再生装置が前記クレードルに装着された状態を機械的に検出する機械スイッチあるいは電子的に検出する電子スイッチからなっていることを特徴とする請求項１又は２に記載の情報記録再生装置。
【請求項４】
前記表示手段として、前記情報記録媒体のデフラグメンテーションを実行するか否かを警告表示する状態表示用ステータスＬＥＤを用いることを特徴とする請求項１乃至３のいずれかに記載の情報記録再生装置。
【請求項５】
前記表示手段として、前記クレードルに当該情報記録再生装置が装着された状態、又は、当該情報記録再生装置本体内の充電を開始せんとしている状態にあることを表示する、及び／又は、前記情報記録媒体のデフラグメンテーションを実行するか否かを警告表示する状態表示用ステータス液晶パネルを用いることを特徴とする請求項１乃至３のいずれかに記載の情報記録再生装置。
【請求項６】
前記表示手段として、前記クレードルに当該情報記録再生装置が装着された状態、又は、当該情報記録再生装置本体内の充電を開始せんとしている状態にあることを示す案内メッセージ、及び／又は、前記情報記録媒体のデフラグメンテーションを実行するか否かを警告表示する案内メッセージを、前記情報記録媒体に対する情報の記録再生用の案内情報を表示する映像モニタ用液晶パネルを用いて表示することを特徴とする請求項１乃至５のいずれかに記載の携帯型情報記録再生装置。
【請求項７】
前記表示手段として、前記クレードルに当該情報記録再生装置が装着された状態、又は、当該情報記録再生装置本体内の充電を開始せんとしている状態にあることを示す案内メッセージ、及び／又は、前記情報記録媒体のデフラグメンテーションを実行するか否かを警告表示する案内メッセージを、前記情報記録媒体からの情報を再生する音声出力手段を用いて、音声によるガイダンスとして出力することを特徴とする請求項１乃至６のいずれかに記載の情報記録再生装置。
【請求項８】
前記検出手段又は前記クレードル側検出手段により、当該情報記録再生装置がクレードルへ装着されたことを前記装着スイッチ又は前記被装着スイッチにより検出した場合、又は、当該情報記録再生装置本体内の充電を開始せんとする状態を検出した場合、前記表示手段に前記警告表示を行なうことなく、直ちに、前記情報記録媒体のデフラグメンテーションを実行し、しかる後に、前記クレードルによるクレードル動作を、又は、当該情報記録再生装置本体内の充電動作を、前記検出手段の前記検出結果により指定されている前記本来の動作として実行することを特徴とする請求項１乃至７のいずれかに記載の情報記録再生装置。
【請求項９】
前記情報記録媒体のデフラグメンテーションを実行中の任意の時点で、ユーザが該デフラグメンテーションの実行を中止させて、前記本来の動作を実行させることができることを特徴とする請求項１乃至８のいずれかに記載の情報記録再生装置。
【発明の詳細な説明】
【０００１】
【発明の属する技術分野】
本発明は、情報記録再生装置に関し、特に、情報（データ）の繰り返し読み書きが可能とされる情報記録媒体を挿着した携帯用の情報記録再生装置に関する。詳しくは、携帯用の情報記録再生装置に挿着された情報記録媒体のデフラグメンテーションを行なう情報記録再生装置に関する。
【０００２】
【従来の技術】
一般に、情報（データ）の繰り返し読み書きが可能とされる情報記録媒体（以下、記録媒体と略する）としては、ＨＤＤ（Ｈａｒｄ  Ｄｉｓｋ  Ｄｒｉｖｅ），ＦＤ（Ｆｌｅｘｉｓｉｂｌｅ  Ｄｉｓｋ），ＭＤ（Ｍｉｎｉ−Ｄｉｓｋ），ＭＯ（Ｍａｇｎｅｔｏ−Ｏｐｔｉｃａｌ  Ｄｉｓｋ），ＣＤ−ＲＷ（Ｃｏｍｐａｃｔ  Ｄｉｓｋ−ＲｅＷｒｉｔａｂｌｅ）などがある。携帯用の情報記録再生装置は、前記のごとき各種の記録媒体のいずれかを挿着することにより、該記録媒体に記録されている情報を携帯しながら記録再生することを可能としている。
ここで、記録媒体として、例えば、ＨＤＤは、表面に磁気材料を塗布した円盤形状のディスクを複数枚円筒状に積層して高速で回転させると共に、ＨＤＣ（Ｈａｒｄ  Ｄｉｓｋ  Ｃｏｎｔｒｏｌｌｅｒ）によってそれらの各ディスク面の所定位置に磁気ヘッドを非接触状態に位置させることにより、各ディスク面との間で情報の読み書きを行なうように構成されている。
【０００３】
各ディスクは、情報を記録するための物理的なフォーマットがなされていて、同心円状のトラックが幾重にも作成されており、それぞれのトラックにトラック番号が付されている。更に、各トラックは、読み書きの最小単位のサイズとされる複数個のセクタに区画化されていて、それぞれにセクタ番号が付されている。更に、同じトラック番号が円筒状に配置されている各円筒（即ち各ディスク）には、シリンダ番号が付けられている。
【０００４】
而して、シリンダ番号、トラック番号、セクタ番号の各番号の組み合わせによって、情報を書き込むべき又は読み出すべき物理的アドレスのセクタ位置が決められている。即ち、ディスクに対して情報を読み書きするときは、セクタを最小単位として、ＨＤＣが所望の物理的アドレスが付されているセクタに磁気ヘッドを位置させることによって行なわれる。
なお、かくのごとき情報の読み書きに関するアドレス方法は、ＨＤＤのみでなく、他の記録媒体についても同様に適用されている。
【０００５】
また、前述のような記録媒体は、情報を記録し管理するための媒体として、パーソナルコンピュータなどをはじめ多くの情報機器に幅広く普及しているが、近年では、記録媒体の大容量化、小型化、低コスト化という技術革新に伴って、例えば、携帯電話機や携帯情報端末（ＰＤＡ：Ｐｅｒｓｏｎａｌ  ＤｉｇｉｔａｌＡｓｓｉｓｔａｎｔｓ）、あるいは、ＭＰ３プレーヤ等に代表される携帯プレーヤ等、各種の携帯用情報記録再生装置に挿着されて使用される情報記録手段即ちメモリ手段としても適用されるようになってきており、今後は、映像情報を扱うビデオカメラなどの携帯型ＡＶ機器にも搭載されていくことが容易に予想でき、ユーザ層の幅が一層広がっていく傾向にあることが予想されている。
【０００６】
ところで、周知の通り、ＨＤＤのような記録媒体のディスクにデータファイル（情報ファイル）を書き込む際には、空いているセクタを若番順又は老番順のアドレス番号順に順次検索して、たとえ飛び飛びに位置しているセクタであっても、空きのセクタが検出されれば、データ（情報）を順番に書き込んでいくように構成されているので、セクタの最小サイズを超えた容量からなるデータファイルは、連続したセクタ領域に収まらずに、ディスクのあちこちのセクタに散らばって記録されてしまうことがある。これは、ディスクへのデータファイルの書き込み及び削除を何回にも亘って繰り返し行なっているために、連続したセクタ領域としては書き込みに必要とする領域分確保することができず、途中で途切れてしまうために発生するものであり、一般に、ディスクの断片化（フラグメンテーション）と称されている。
【０００７】
ディスクの断片化（フラグメンテーション）が生じている場合、ディスクに書き込もうとするデータファイルは、前述のごとく、物理的に不連続ないくつかのセクタに分散して記録せざるを得なくなり、その結果として、磁気ヘッドが飛び飛びの位置にあるセクタ位置まで移動して記録動作を行なわざるを得ず、記録媒体へのアクセスに要する時間が長くなってしまうのみならず、不連続なセクタに分散されて記録されているデータを読み出そうとする場合にも、記録媒体へのアクセスに要する時間が長くなってしまい、扱うデータファイルの数が増加するにつれて、アクセスに要する時間が益々長大化してくる。
【０００８】
このため、一般に、パーソナルコンピュータなどの情報機器においては、記録媒体上に記録されているデータファイルの断片化された状態（フラグメンテーション状態）を修復して、１つのデータファイルとしては、連続するセクタ位置に記録し直すように、各データファイルの記録順序を順番に整理することによって、記録媒体へのアクセス速度を向上させて、効率の良いデータファイルの書き込み及び読み出しを行なうことができるように、一般にデフラグメンテーションと称されているデータ再配置手段が備えられている。
【０００９】
デフラグメンテーション手段を移動体用の情報記録再生装置に対して適用している従来技術としては、特許文献１に示す特開２００１−２３６７１７号公報「情報記録再生装置」や特許文献２に示す特開２００２−２６８９２４号公報「デフラグメンテーション機能を有するディスク記憶システム、及び同システムにおけるデフラグメンテーション方法」などに開示されている技術がある。特許文献１に記載された技術は、自動車などの移動体に搭載される情報記録再生装置が、機械的な振動が発生する移動体の走行中の状態にある場合にはデフラグメンテーションの実行を抑止することとし、移動体の停止状態を検出してはじめてデフラグメンテーションの実行を許可せんとするものである。
【００１０】
また、特許文献２に記載された技術は、ＡＶ機器が、ディスクに記録されているＡＶ情報をホストシステムに対して転送する際に、ディスク上に断片化された状態で該ＡＶ情報が記録されていることを検出した場合には、ＡＶ機器側独自でデフラグメンテーションを実行させることにし、もって、ホストシステムのパフォーマンスを低下させることなく、かつ、ホストシステムへのＡＶ情報の転送と合わせてデフラグメンテーションを実行することができる技術を提供せんとするものである。
【００１１】
【特許文献１】
特開２００１−２３６７１７号公報（第３−４頁）
【特許文献２】
特開２００２−２６８９２４号公報
【００１２】
【発明が解決しようとする課題】
しかしながら、携帯しながら各種の情報（例えば音楽情報）を記録再生することが可能な携帯用の情報記録再生装置に対するユーザ層の利用幅が拡大することに伴って、前述のごとく、記録媒体に記録されたデータファイルに対するデフラグメンテーションを適宜実施することが必要であるとの認識が薄いユーザが使用する携帯用の情報記録再生装置であっても、デフラグメンテーションの適宜な実行が必要とされる記録媒体を挿着した携帯用の情報記録再生装置が増加してきている。而して、携帯用の情報記録再生装置の記録媒体に対するデフラグメンテーションを適宜実行しようとしないユーザが増加するがために、記録媒体の効率的活用が阻害されてしまい、かかる記録媒体を挿着した携帯用の情報記録再生装置そのものがあたかも性能の劣化を来たしてしまっているとの疑念を抱かれてしまうという問題も発生してきている。
【００１３】
かくのごとき携帯用の情報記録再生装置における性能劣化の疑義発生問題に関しては、前記特許文献１や前記特許文献２などの移動体用の情報記録再生装置におけるデフラグメンテーションに関する従来技術においては何ら言及されていなく、携帯用の情報記録再生装置における記録媒体に対して、デフラグメンテーションを適宜強制的に実行させて、携帯用の情報記録再生装置の性能を自動的に回復せんとする技術が何ら提供されていない。
【００１４】
本発明は、従来の携帯用の情報記録再生装置が有しているかかる問題点を解決するためになされたものであり、記録媒体に対するデフラグメンテーションが必要であるとの認識が薄いユーザが使用することをも考慮して、携帯用の情報記録再生装置の一般的な使い方として広く認識されているクレードルへの装着や携帯用情報記録再生装置本体内の充電開始などの状態変化を自動的に検出して、かかる状態変化の検出を契機にして、携帯用情報記録再生装置に挿着されている記録媒体に対するデフラグメンテーションを実行するか否かの警告表示をユーザに対して行ない、ユーザによって現時点ではデフラグメンテーションの実行を行なわないとの指示がなされた場合には、デフラグメンテーションを実行せずに、直ちに、クレードル機能に基づく動作や携帯用情報記録再生装置本体内の充電動作などの本来の動作を開始させ、逆に、ユーザによってデフラグメンテーションの実行が指示された場合には、前記本来の動作に先立って、デフラグメンテーションを強制的に実行するようにし、しかる後に、前記本来の動作を開始させる情報記録再生装置を提供することを目的とする。
【００１５】
更には、記録媒体に対するデフラグメンテーションが必要であるとの認識が更に薄いユーザが使用することをも考慮して、クレードルへの装着又は携帯用情報記録再生装置本体内の充電開始などの状態変化を自動的に検出した場合には、前記本来の動作に先立って、自動的に、デフラグメンテーションの実行を開始させることをも可能にすることを目的とするものであり、更に、ユーザがデフラグメンテーションの実行を中止させることを指示した場合に、デフラグメンテーションの実行を直ちに中止して、クレードルへの装着又は携帯用情報記録再生装置本体内の充電開始などの本来の動作を実行開始させる情報記録再生装置を提供することを目的とする。
【００１６】
【課題を解決するための手段】
第１の技術手段は、情報の記録再生が可能な情報記録媒体を挿着して、携帯しながら情報の記録や再生を行なうことができる携帯用の情報記録再生装置において、当該情報記録再生装置をクレードルへ装着したことを装着スイッチにより検出する、及び／又は、当該情報記録再生装置本体内の充電を開始せんとすることを検出する検出手段と、該検出手段の検出結果に基づいて、前記情報記録媒体のデフラグメンテーションを実行するか否かをユーザに対して警告表示する表示手段とを備え、該警告表示に対して、ユーザがデフラグメンテーションを実行しない旨を指示した場合は、当該情報記録再生装置がクレードルへ装着された場合には、該クレードルによるクレードル動作を、また、当該情報記録再生装置本体内の充電を開始せんとしていた場合には、当該情報記録再生装置本体内の充電動作を、前記検出手段の前記検出結果により指定されている本来の動作として実行し、一方、ユーザがデフラグメンテーションの実行を指示した場合は、前記本来の動作の実行を行なうに先立って、前記情報記録媒体のデフラグメンテーションを実行し、しかる後に、前記本来の動作を実行する情報記録再生装置とすることを特徴とするものである。
【００１７】
第２の技術手段は、前記第１の技術手段に記載の情報記録再生装置において、当該情報記録再生装置に備えられた前記検出部の代わりに、前記クレードルに、当該情報記録再生装置が当該クレードルに装着されたことを被装着スイッチにより検出する、及び／又は、当該情報記録再生装置本体内の充電を開始せんとすることを検出するクレードル側検出手段を備え、該クレードル側検出手段の検出結果を当該情報記録再生装置に通知する情報記録再生装置とすることを特徴とするものである。
【００１８】
第３の技術手段は、前記第１又は第２の技術手段に記載の情報記録再生装置において、当該情報記録再生装置が前記クレードルに装着された状態にあることを検出する前記検出手段の前記装着スイッチ又は前記クレードル側検出手段の前記被装着スイッチが、当該情報記録再生装置が前記クレードルに装着された状態を機械的に検出する機械スイッチあるいは電子的に検出する電子スイッチからなっている情報記録再生装置とすることを特徴とするものである。
【００１９】
第４の技術手段は、前記第１乃至第３の技術手段のいずれかに記載の情報記録再生装置において、前記表示手段として、前記情報記録媒体のデフラグメンテーションを実行するか否かを警告表示する状態表示用ステータスＬＥＤを用いる情報記録再生装置とすることを特徴とするものである。
【００２０】
第５の技術手段は、前記第１乃至第３技術手段のいずれかに記載の情報記録再生装置において、前記表示手段として、前記クレードルに当該情報記録再生装置が装着された状態、又は、当該情報記録再生装置本体内の充電を開始せんとしている状態にあることを表示する、及び／又は、前記情報記録媒体のデフラグメンテーションを実行するか否かを警告表示する状態表示用ステータス液晶パネルを用いる情報記録再生装置とすることを特徴とするものである。
【００２１】
第６の技術手段は、前記第１乃至第５の技術手段のいずれかに記載の情報記録再生装置において、前記表示手段として、前記クレードルに当該情報記録再生装置が装着された状態、又は、当該情報記録再生装置本体内の充電を開始せんとしている状態にあることを示す案内メッセージ、及び／又は、前記情報記録媒体のデフラグメンテーションを実行するか否かを警告表示する案内メッセージを、前記情報記録媒体に対する情報の記録再生用の案内情報を表示する映像モニタ用液晶パネルを用いて表示する携帯型情報記録再生装置とすることを特徴とするものである。
【００２２】
第７の技術手段は、前記第１乃至第６の技術手段のいずれかに記載の情報記録再生装置において、前記表示手段として、前記クレードルに当該情報記録再生装置が装着された状態、又は、当該情報記録再生装置本体内の充電を開始せんとしている状態にあることを示す案内メッセージ、及び／又は、前記情報記録媒体のデフラグメンテーションを実行するか否かを警告表示する案内メッセージを、前記情報記録媒体からの情報を再生する音声出力手段を用いて、音声によるガイダンスとして出力する情報記録再生装置とすることを特徴とするものである。
【００２３】
第８の技術手段は、前記第１乃至第７の技術手段のいずれかに記載の情報記録再生装置において、前記検出手段又は前記クレードル側検出手段により、当該情報記録再生装置がクレードルへ装着されたことを前記装着スイッチ又は前記被装着スイッチにより検出した場合、又は、当該情報記録再生装置本体内の充電を開始せんとする状態を検出した場合、前記表示手段に前記警告表示を行なうことなく、直ちに、前記情報記録媒体のデフラグメンテーションを実行し、しかる後に、前記クレードルによるクレードル動作を、又は、当該情報記録再生装置本体内の充電動作を、前記検出手段の前記検出結果により指定されている前記本来の動作として実行する情報記録再生装置とすることを特徴とするものである。
【００２４】
第９の技術手段は、前記第１乃至第８の技術手段のいずれかに記載の情報記録再生装置において、前記情報記録媒体のデフラグメンテーションを実行中の任意の時点で、ユーザが該デフラグメンテーションの実行を中止させて、前記本来の動作を実行させることができる情報記録再生装置とすることを特徴とするものである。
【００２５】
而して、各前記技術手段によれば、携帯用の情報記録再生装置の一般的な使い方であるクレードルへの装着や情報記録再生装置本体内の充電開始などの状態変化を契機にして、クレードル機能の実行や充電開始などの本来の動作に先立って、強制的に記録媒体に対するデフラグメンテーションを実行するか否かを警告表示し、記録媒体に対するデフラグメンテーションが必要であるとの認識が薄いユーザに対しても、デフラグメンテーションの実行を促し、記録媒体を効率的に活用することができる状態にしたり、あるいは、クレードル機能の実行や充電開始などの本来の動作に先立って、直ちに、情報記録媒体に対するデフラグメンテーションを自動的に実行して、情報記録媒体を効率的に活用することができる状態に修復して、携帯用の情報記録再生装置の性能劣化との疑念をユーザに与えなくすることができる。
【００２６】
【発明の実施の形態】
以下に、携帯用の情報記録再生装置に適用される本発明に係る情報記録再生装置の実施の形態について、図面を参照しながら説明する。図１は、本発明に係る情報記録再生装置のシステム構成の一例を示すブロック構成図である。図１に示す情報記録再生装置１としては、主に、本発明の説明に必要とする制御ユニット４とその関連回路部を中心にした回路ブロックを示している。
【００２７】
図１に示すように、本発明に係る情報記録再生装置１は、当該情報記録再生装置１の状態変化を検出して検出信号として制御ユニット４に対して出力する検出部２と、ユーザの操作による指示信号を出力するユーザ操作ＳＷ（スイッチ）３と、検出部２から出力された検出信号又はユーザ操作ＳＷ３から出力された指示信号に基づいて、種々のアプリケーションプログラム（例えば、デフラグメンテーション実行処理用や、あるいは、ダウンロード実行などのクレードル機能実行処理用や、あるいは、当該情報記録再生装置１本体内に設けられている内蔵電池に対する充電動作用などの各種のアプリケーションプログラム）の中から指定されたアプリケーションプログラムを動作させて各種の処理を実行する制御ユニット４と、制御ユニット４における種々のアプリケーションプログラムの処理結果を表示する表示部５とから主に構成されている。
【００２８】
制御ユニット４は、検出部２からの検出信号又はユーザ操作ＳＷ３からの指示信号を受信し、ＣＰＵ（Ｃｅｎｔｒａｌ  Ｐｒｏｃｅｓｓｉｎｇ  Ｕｎｉｔ）４ｂに対して割込信号を出力するインタフェース４ａと、インタフェース４ａからの割込信号によりＲＯＭ（Ｒｅａｄ−Ｏｎｌｙ  Ｍｅｍｏｒｙ）４ｃに格納されている割込処理プログラムを起動して割込信号を分析し、該当するアプリケーションプログラムの処理を実行するＣＰＵ４ｂと、割込処理プログラムやアプリケーションプログラムを格納しているＲＯＭ４ｃと、割込処理プログラムやアプリケーションプログラムの演算途中結果を格納したり、実行に必要とする各種データや実行結果のデータなどを保存するＲＡＭ４ｄと、当該情報記録再生装置１が再生する情報（データ）を記録しているハードディスクドライブＨＤＤ４ｅと、各回路部間を高速データ転送するバス４ｆと、を含んで構成されている。
【００２９】
ここで、検出部２は、検出する情報記録再生装置１の状態変化として、携帯用の当該情報記録再生装置１をクレードル１０に装着して、装着した当該情報記録再生装置１と該クレードル１０に接続された外部の接続機器との間で情報の転送動作など各種のクレードル機能のうちいずれかのクレードル機能の実行が開始されんとしていること、あるいは、情報記録再生装置１本体に備えられている内蔵電池の充電動作が開始されんとしていること、のいずれかの状態を検出して、検出信号として制御ユニット４に対して出力する。
なお、当該情報記録再生装置１をクレードル１０に装着したことは、検出部２に設けられている装着スイッチの動作により検出され、内蔵電池の充電動作の開始は、検出部２に設けられている充電スイッチの動作により検出される。
【００３０】
制御ユニット４は、インタフェース４ａを介して検出部２から出力されてきた該検出信号の分析結果に基づき、ＣＰＵ４ｂにおいて、ＲＯＭ４ｃに格納されている該当するアプリケーションプログラムを実行し、例えば、クレードル機能の実行や充電動作などの本来の動作の実行に先立って、ＨＤＤ４ｅに対するデフラグメンテーションを実行するか否かの警告表示信号を表示部５に対して出力する。該表示部５の警告表示を確認したユーザが、ユーザ操作ＳＷ３を操作してデフラグメンテーションの実行を指示すると、インタフェース４ａを介してユーザ操作ＳＷ３から出力されてきた指示信号は、ＣＰＵ４ｂにおいて分析されて、予めデフラグメンテーション実行処理用としてＲＯＭ４ｃに設定されているアプリケーションプログラムを動作させて、該デフラグメンテーション実行処理用アプリケーションプログラムの動作に従って、ＨＤＤ４ｅに対するデフラグメンテーション実行処理制御などの作動条件を満たすか否かを決定する演算処理を行なう。
【００３１】
該演算処理の結果として、ＨＤＤ４ｅに対するデフラグメンテーションを実行処理させる場合であると判定されると、クレードル機能の実行や充電動作などの検出信号により指定されている本来の動作の実行に先立って、携帯用の当該情報記録再生装置１のＨＤＤ４ｅに対するデフラグメンテーションを実行する状態に設定される。ここで、ＨＤＤ４ｅに対するデフラグメンテーション処理（飛び飛びの複数のセクタに断片化されているデータファイルを連続セクタに配置し直す処理）自体は、例えば、特開２００１−２３６７１７号公報や特開２００２−２６８９２４号公報などの従来技術におけるデフラグメンテーション処理と全く同様な処理を行なうこととすれば良い。ＨＤＤ４ｅに対するデフラグメンテーション処理が終了した場合、ＣＰＵ４ｂは、検出された前記検出信号により指定されているクレードル機能の実行や充電動作などの本来の動作の実行処理用としてＲＯＭ４ｃに設定されているアプリケーションプログラムを動作させて、本来の動作を実行する。
【００３２】
また、表示部５のデフラグメンテーション実行可否の警告表示を確認したユーザが、ユーザ操作ＳＷ３を操作して、現時点ではデフラグメンテーションの実行をしない旨を指示すると、インタフェース４ａを介してユーザ操作ＳＷ３から出力されてきた指示信号は、ＣＰＵ４ｂにおいて分析されて、予めクレードル機能実行処理用としてＲＯＭ４ｃに設定されているアプリケーションプログラムあるいは情報記録再生装置１本体に備えられている内蔵電池の充電動作を行なうためにＲＯＭ４ｃに設定されているアプリケーションプログラムを起動して、かかるアプリケーションプログラムの動作に従って、クレードル１０に装着後のクレードル機能に関する動作や情報記録再生装置１本体の充電動作など、検出された前記検出信号により指定されている本来の動作を開始し、各アプリケーションプログラムに従った本来の動作を実行する。
【００３３】
更に詳述すると、制御ユニット４においては、検出部２から出力されてきた検出信号が、インタフェース４ａを介して、ＣＰＵ４ｂに入力される。ＣＰＵ４ｂにおいては、検出部２から出力された検出信号に基づいて、携帯用の当該情報記録再生装置１がクレードル１０に装着されたか、当該情報記録再生装置１本体の充電動作が開始されんとしているかなどを分析する。そして、ＣＰＵ４ｂにおける分析結果に基づいて、ＲＯＭ４ｃにファームウェア化されて格納されているデフラグメンテーション実行の有無を確認するための警告表示用のアプリケーションプログラムをＣＰＵ４ｂが実行することにより、クレードル機能の実行や充電動作などの検出信号により指定されている本来の動作の実行に先立って、表示部５にデフラグメンテーション実行の可否をユーザに確認するための警告表示を表示する。
【００３４】
ユーザは、表示部５に表示された該警告表示に従ってデフラグメンテーションを実行するか否かをユーザ操作ＳＷ３により選択して指示する。ユーザの指示結果である指示信号は、ユーザ操作ＳＷ３から制御ユニット４に入力され、インタフェース４ａを介してＣＰＵ４ｂに入力される。ＣＰＵ４ｂにおいては、ユーザ操作ＳＷ３から出力されてきた指示信号に基づいて、ユーザがデフラグメンテーション実行を指示したか否かを判定する。そして、ＣＰＵ４ｂにおける判定結果に基づいて、ＲＯＭ４ｃにファームウェア化されて格納されている種々のアプリケーションプログラムの中から、ＣＰＵ４ｂがいずれかのアプリケーションプログラムを選択して実行する。
【００３５】
ここで、ユーザがデフラグメンテーション実行を指示していたと判定した場合には、クレードル機能の実行や充電動作などの検出信号により指定されている本来の動作の実行に先立って、再生する種々の情報がそれぞれデータファイルとして記録されているＨＤＤ４ｅに対するデフラグメンテーション実行処理用のアプリケーションプログラムが選択されて処理が開始される。しかる後に、ＨＤＤ４ｅに対するデフラグメンテーション実行処理用のアプリケーションプログラムの動作が終了した場合、又は、ユーザによりデフラグメンテーション実行の中止指示がなされた場合には、クレードル機能の実行や充電動作などの検出信号により指定されている本来の動作を実行するアプリケーションプログラムが選択されて実行される。
【００３６】
逆に、ユーザがデフラグメンテーションを実行しないことを指示していたと判定した場合には、検出部２によりクレードル１０への装着が検出されていた場合であれば、クレードル１０のクレードル機能（例えば、携帯用の当該情報記録再生装置１のＨＤＤ４ｅとクレードル１０に接続されている外部機器との間で、データファイルをダウンロードしたり逆にアップロードしたりするデータ転送を行なうなど）に対応するアプリケーションプログラムが直ちに選択されて実行されることになり、一方、当該情報記録再生装置１本体の充電動作が開始されんとしている状態が検出されていた場合であれば、当該情報記録再生装置１本体に備えられている内蔵電池に対する充電動作が行なうためのアプリケーションプログラムが直ちに選択されて実行されるように設定されている。
【００３７】
なお、以上の説明においては、当該情報記録再生装置１がクレードル１０に装着されて、該クレードル１０のクレードル機能が開始されんとしている状態変化、あるいは、当該情報記録再生装置１本体の充電動作が開始されんとしている状態変化が検出された場合に、該状態変化を検出した検出信号により指定されている本来の動作の実行に先立って、一旦、表示部５にデフラグメンテーション実行の可否を問い合わせる警告表示をして、ユーザからのユーザ操作ＳＷ３の操作によるデフラグメンテーション実行可否の指示結果を待って、ＨＤＤ４ｅに対するデフラグメンテーション実行処理用のアプリケーションプログラムを実行させる場合について説明したが、例えば、当該情報記録再生装置１本体の充電動作は、就寝時間帯など、比較的長時間に亘って当該情報記録再生装置１が使用されない場合に実施されることが多いと予測されるので、ユーザからのユーザ操作ＳＷ３の操作によるデフラグメンテーション実行の指示結果を待つことなく、当該情報記録再生装置１本体の充電動作が開始されんとしている状態が検出された場合、直ちに、ＨＤＤ４ｅに対するデフラグメンテーション実行処理用のアプリケーションプログラムを自動的に実行させるようにしても構わない。
【００３８】
即ち、ＨＤＤ４ｅに対するデフラグメンテーションを自動的に実行することにより、ＨＤＤ４ｅに対するデフラグメンテーションを適宜行なうことが必要であるとの認識が更に薄いユーザが何らの操作をすることもなく、ＨＤＤ４ｅ即ち記録媒体を効率的に活用することが可能な状態に、記録されているデータファイルが自動的に再配置されて記録し直され、携帯用の当該情報記録再生装置を有効に活用できる状態を自動的に維持することができる効果が得られる。
【００３９】
また、当該情報記録再生装置１本体の充電動作が開始されんとしている状態変化を検出した場合のみに限らず、当該情報記録再生装置１がクレードル１０に装着されて、該クレードル１０のクレードル機能が開始されんとしている状態変化を検出した場合でも、場合によっては、該状態変化を検出した検出信号により指定されている本来のクレードル機能の動作の実行に先立って、自動的に、ＨＤＤ４ｅに対するデフラグメンテーション実行処理用のアプリケーションプログラムを実行させるようにしても良い。
【００４０】
更に、ＨＤＤ４ｅに対するデフラグメンテーション実行処理用のアプリケーションプログラムによるデフラグメンテーション動作の実行中であっても、ユーザが当該情報記録再生装置１を使用したい場合には、デフラグメンテーションの実行を中止させるためのユーザ操作ＳＷ３を操作することにより、実行中のアプリケーションプログラムによるデフラグメンテーション動作を任意の時点で中止させて、前記状態変化を検出した検出信号により指定されている本来の動作を実行するアプリケーションプログラムを起動したり、あるいは、ＨＤＤ４ｅへの情報の記録動作又は再生動作を実行するアプリケーションプログラムを起動することも可能である。
【００４１】
図２は、本発明に係る情報記録再生装置のシステム構成の図１とは異なる実施例を示すブロック構成図である。図２に示す情報記録再生装置１′も、図１のブロック構成図と同様に、主に、本発明の説明に必要とする制御ユニット４′とその関連回路部を中心にした回路ブロックを示している。図２に示すように、図１の情報記録再生装置１における検出部２の代わりに、クレードル１０′側に、情報記録再生装置１′が装着されたか否かを被装着スイッチにより検出したり、又は、情報記録再生装置１′本体内の充電を開始せんとしていることを検出するための検出部１０ａ（即ちクレードル側検出手段）を備えている。而して、クレードル１０′側の検出部１０ａの検出結果は、情報記録再生装置１′のインタフェース４ａ′を介してＣＰＵ４ｂに通知されて、図１において前述した場合と全く同様の動作を行なうことを可能としている。
【００４２】
なお、図１及び図２にそれぞれ示した検出部２又は検出部１０ａにおける装着スイッチ又は被装着スイッチは、それぞれ、機械的なスイッチにより情報記録再生装置１，１′の装着状態を検出することとしても良いし、又は、電子的なスイッチを用いて情報記録再生装置１，１′の装着状態を検出することとしても良い。
また、図１及び図２にそれぞれ示した表示部５は、デフラグメンテーションを実行する契機となる状態の変化を検出して、デフラグメンテーション実行の可否をユーザに確認するための警告表示のみを表示する状態表示用ステータスＬＥＤ（Ｌｉｇｈｔ  Ｅｍｉｔｔｉｎｇ  Ｄｉｏｄｅ）から構成されていても良いし、あるいは、デフラグメンテーション実行の有無をユーザに確認するための警告表示のみならず、携帯用の当該情報記録再生装置１，１′がクレードル１０，１０′に装着されたか、当該情報記録再生装置１，１′本体の充電動作が開始されんとしているかなどデフラグメンテーション実行の契機となる状態変化の種別をも合わせて表示する状態表示用ステータス液晶パネルから構成されていても良い。
【００４３】
あるいは、表示部５は、当該情報記録再生装置の記録再生時に映像を確認するために設けられている映像モニタ用液晶パネルを共用して、ＨＤＤ４ｅに記録されている再生用情報を案内したり、記録するための記録用情報を案内したりする他に、更に、デフラグメンテーション実行の契機となる状態変化の種別をユーザに対して案内する案内メッセージ、及び／又は、デフラグメンテーション実行の可否をユーザに確認するための警告表示を行なう案内メッセージを含む表示形式として表示するようにしても良いし、あるいは、ＨＤＤ４ｅに記録されている再生用情報を再生出力する音声出力手段を用いて、デフラグメンテーション実行の契機となる状態変化の種別をユーザに対して案内する音声メッセージ、及び／又は、デフラグメンテーション実行の可否をユーザに確認するための警告表示を行なう音声メッセージを音声ガイダンスとして出力表示するようにしても良いし、前述した複数の表示手段を組み合わせて用いることにしても良い。
【００４４】
【発明の効果】
以上説明したように、本発明に係る情報記録再生装置によれば、携帯用の情報記録再生装置の一般的な使用方法であるクレードルへの当該情報記録再生装置の装着が発生した場合や当該情報記録再生装置本体に備えられている内蔵電池に対する充電動作を開始せんとする場合のような状態の変化を契機として、かかる状態の変化により本来実行すべき本来の動作に先立って、ＨＤＤなどの記録媒体に対するデフラグメンテーションを強制的に実行することができる状況が発生している旨をユーザに対して警告表示して、ユーザにデフラグメンテーションの実行の可否を選択させることにより、記録媒体に対するデフラグメンテーションが必要であるとの認識が薄いユーザに対してもデフラグメンテーション実行を促し、もって、記録媒体を効率的に活用することが可能な状態に、記録されているデータファイルを再配置して記録し直すことを可能とし、携帯用の当該情報記録再生装置に対する不要な性能劣化とのユーザの疑念を生起させなくする効果が得られる。
【００４５】
更には、例えば、比較的長時間に亘って当該情報記録再生装置を使用することがないような場合と想定される充電動作を開始せんとするような前記状態の変化を契機として、ＨＤＤなどの記録媒体に対するデフラグメンテーションを自動的に実行することにより、記録媒体に対するデフラグメンテーションが必要であるとの認識が更に薄いユーザが何らの操作をすることもなく、記録媒体を効率的に活用することが可能な状態に、記録されているデータファイルを自動的に再配置して記録し直すことを可能とし、携帯用の当該情報記録再生装置を有効に活用できる状態を維持することができる効果が得られる。
【図面の簡単な説明】
【図１】本発明に係る情報記録再生装置のシステム構成の一例を示すブロック構成図である。
【図２】本発明に係る情報記録再生装置のシステム構成の図１とは異なる実施例を示すブロック構成図である。
【符号の説明】
１，１′…情報記録再生装置、２…検出部、３…ユーザ操作ＳＷ（スイッチ）、４，４′…制御ユニット、４ａ，４ａ′…インタフェース、４ｂ…ＣＰＵ、４ｃ…ＲＯＭ、４ｄ…ＲＡＭ、４ｅ…ＨＤＤ、４ｆ…バス、５…表示部、１０，１０′…クレードル、１０ａ…検出部。
【図１】
2004295755.tif 000003
【図２】
2004295755.tif 000004